(57)【要約】【課題】使用者の身体曲線に密着することを可能にする高密着性のウェイトトレーナーを提供する。【解決手段】ベース１０、リング３０及び面ファスナー４０を有する。ベース１０は一つの側面におもり２０を有し、おもり２０は内部に収納室を有し、収納室は数個の連続する収納空間２１から構成され、収納空間２１はおもり材料の充填に用いられるため、おもり２０は一定の重量を保つことが可能である。リング３０はおもり２０の一端に装着される。面ファスナー４０はおもり２０の上に取り付けられ、かつ面ファスナー４０の一部分がおもり２０の上に固定され、別の一部分がベース１０の外側へ延長される。【選択図】図２
0003136172.tif 000002
【実用新案登録請求の範囲】
【請求項１】
帯状を呈し、柔軟性と通気性とがある材料から製作され、一つの側面におもりを有するベースと、
おもりの一端に装着されるリングと、
おもりの上に取り付けられ、かつ一部分はおもりの上に固定され、別の一部分はベースの外側へ延長される面ファスナーとを備え、
おもりは内部に収納室を有し、収納室は数個の連続する収納空間から構成されることを特徴とする高密着性のウェイトトレーナー。
【請求項２】
収納空間は鉄砂と粘性のある油液とにより充填されるため、おもりは一定の重量を保つことが可能であることを特徴とする請求項１に記載の高密着性のウェイトトレーナー。
【請求項３】
おもりは分離可能な方法によりベースの一側に配置されることを特徴とする請求項１に記載の高密着性のウェイトトレーナー。
【請求項４】
ベースは一側に第一結合部を有し、おもりも一側に第二結合部を有するため、おもりの第二結合部とベースの第一結合部とを結合させることによりおもりとベースとを結合させることが可能であることを特徴とする請求項１に記載の高密着性のウェイトトレーナー。
【請求項５】
第一結合部及び第二結合部は面ファスナーであることを特徴とする請求項４に記載の高密着性のウェイトトレーナー。
【請求項６】
おもりは両側に第二結合部を別々に有することを特徴とする請求項４に記載の高密着性のウェイトトレーナー。
【考案の詳細な説明】
【技術分野】
【０００１】
本考案はトレーニング用品、詳しく言えば高密着性のウェイトトレーナーに関するものである。
【背景技術】
【０００２】
手首または足首に使用されるウェイトトレーナーの大部分は単一の袋体で、リング及び面ファスナーから構成される。袋体は長扁形を呈する。内部の充填物の移動を抑制するために袋体の内部はミシンによる縫製方法で数個の連続する収納空間に分割され、砂鉄などのおもりは収納空間に収納される。面ファスナーは袋体上に取り付けられ、リングは面ファスナーを貫通させるために袋体の一端に装着される。このようなウェイトトレーナーはおもりを担ぐ基本の運動機能を提供することが可能である。袋体はミシンで縫製されるため、縫製後の袋体の重量は変わらず一定で、かつおもりの材料により拡張現象が生じるため、袋体の両側の表面に断続的な突起が生じる。従って、ウェイトトレーナーと使用者との接触面積が減少し、使用時に袋体の表面が使用者の手首または足首にあまり密着していないことが原因で運動中にウェイトトレーナーが移動したり滑ったりするような事態を招く。
【考案の開示】
【考案が解決しようとする課題】
【０００３】
本考案の主な目的は使用者の身体曲線に密着することを可能にする高密着性のウェイトトレーナーを提供することである。
【課題を解決するための手段】
【０００４】
上述の目的を達成するために、本考案はベース、リング及び面ファスナーを有する。ベースは一つの側面におもりを有し、おもりは内部に収納室を有し、収納室は数個の連続する収納空間から構成され、収納空間はおもり材料の充填に用いられるため、おもりは一定の重量を保つことが可能である。リングはおもりの一端に装着される。面ファスナーはおもりの上に取り付けられ、かつ面ファスナーの一部分がおもりの上に固定され、別の一部分がベースの外側へ延長される。
【考案を実施するための最良の形態】
【０００５】
以下、本考案の実施例を図面に基づき説明する。
（第１実施例）
図１から図２に示すように、本考案の第１実施例による高密着性のウェイトトレーナーは下記のものを有する。
ベース１０は帯状を呈し、かつ柔軟性と通気性を有する材料から製作され、ベース１０の一つの側面におもり２０を有し、おもり２０は内部に収納室を有し、収納室は数個の連続する収納空間２１から構成され、収納空間２１は鉄砂及び粘性のある油液などのおもり材料の充填に用いられるため、おもり２０は柔軟性と一定の重量とを保つことが可能である。
【０００６】
リング３０はおもり２０の一端に装着される。
面ファスナー４０はおもり２０の上に取り付けられ、そのうちの面ファスナーの一部分がおもり２０の上に固定され、別の一部分はベース１０の外側へ延長される。
【０００７】
使用の際にまず手首または足首にベース１０を付け、そののち面ファスナー４０の延長部位を使用者の手首または足首に沿い通して、続いてリング３０から通し、面ファスナー４０に折り返し、貼り付ければ、ウェイトトレーナーを手首または足首に装着することが可能である。内部に充填されるおもりのため、おもり２０の表面には断続的な突起が形成される。しかし、ウェイトトレーナーはおもり２０を介してではなく、ベース１０を介して使用者に接触するため、使用者に窮屈せずに密着することが可能である。従って、運動の最中にウェイトトレーナーが移動したり滑るような事態があまり起こらない。
【０００８】
（第２実施例）
本実施例におけるおもり２０は直接ベース１０の一側に配置することも、分離可能な方法によりベース１０の一側に配置することも可能である。図３及び図４に示すのは本考案の第２実施例である。本実施例による高密着性のウェイトトレーナーはベース１０、リング３０及び面ファスナー４０を有する。第１実施例との違いはベース１０の一側に結合部５０を有し、おもり２０の一側にも結合部５０を有し、おもり２０の結合部５０とベース１０の結合部５０とを結合させることにより、おもりとベースとを結合させることである。本実施例では、ベース１０及びおもり２０上の結合部５０は面ファスナーであるため、分離可能な方法によりおもりとベースとを結合させることが可能である。このような分離可能な方法はベースを取り外し、洗浄することが可能である。またおもりの数はこのような方法で増やすことが可能である。図５に示すように、おもり２０は両側に結合部５０を別々に有するため、ベース１０の一側に二つのおもり２０を連続的に重ね、かつ二つのおもり２０の間およびおもり２０とベース１０との間の結合部５０によりそれらを結合させ、そして最も外側のおもり２０に面ファスナー４０とリング３０を配置することが可能である。これにより、おもりが異なっても同じ使用効果を有する高密着性のウェイトトレーナーを達成することが可能である。
【図面の簡単な説明】
【０００９】
【図１】本考案の第１実施例による高密着性のウェイトトレーナーの平面図である。
【図２】本考案の第１実施例による高密着性のウェイトトレーナーの側面図である。
【図３】本考案の第２実施例による高密着性のウェイトトレーナーの斜視図である。
【図４】本考案の第２実施例による高密着性のウェイトトレーナーの側面図である。
【図５】本考案の第２実施例による高密着性のウェイトトレーナーの他の使用状態を示す斜視図である。
【符号の説明】
【００１０】
１０：ベース、２０：おもり、２１：収納空間、３０：リング、４０：面ファスナー、５０：結合部
【図１】
0003136172.tif 000003
【図２】
0003136172.tif 000004
【図３】
0003136172.tif 000005
【図４】
0003136172.tif 000006
【図５】
0003136172.tif 000007